(57)【要約】      （修正有）【課題】対向装置との通信に障害が生じた場合に通信インターフェースと通信制御装置について段階的に復旧を試みることにより、障害からの復旧までの通信制御装置のサービス停止時間を短縮する通信制御方法の提供する。【解決手段】対向装置と接続される通信制御装置において、対向装置と結合される通信インターフェースと、通信インターフェースを制御する通信インターフェース管理部とを備えて、通信インターフェース管理部が対向装置との通信に障害が生じた信号を受信した場合に、まず通信インターフェース管理部が通信インターフェースに再起動信号を送信して通信インターフェースを再起動させて障害除去を図り、通信インターフェース管理部が通信インターフェースから再起動信号送信の所定時間後に起動完了通知信号を受信しない場合にのみ通信制御装置全体を段階的に再起動させることで通信制御装置全体の通信中断時間を短縮させる。【選択図】図１
2008206109.tif 000002
【特許請求の範囲】
【請求項１】
対向装置と接続される通信制御装置において、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図り、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させる通信制御方法。
【請求項２】
前記通信インターフェースを再起動中に前記通信制御装置の他の機能ブロックは動作を継続することを特徴とする請求項１記載の通信制御方法。
【請求項３】
前記通信制御装置は、前記通信制御装置全体の再起動によっても再起動信号送信の所定時間後に前記通信インターフェース管理部が起動完了通知信号を受信しない場合に前記通信制御装置障害へ遷移することを特徴とする請求項１記載の通信制御方法。
【請求項４】
前記通信制御装置は、前記通信制御装置障害へ遷移する前に前記対向装置との通信を停止させることを特徴とする請求項３記載の通信制御方法。
【請求項５】
前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする請求項１記載の通信制御方法。
【請求項６】
前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする請求項１記載の通信制御方法。
【請求項７】
前記通信インターフェースは複数枚装備されて、一方の通信インターフェースが再起動中に他方の通信インターフェースが動作を継続することを特徴とする請求項１記載の通信制御方法。
【請求項８】
前記通信制御装置は、複数のサーバ装置を搭載可能で電源やファンを共通化したブレードサーバで構成されることでコンパクトに製造されて複数台の装置を同時に再起動可能である請求項１乃至７いずれか１つに記載の通信制御方法。
【請求項９】
前記通信インターフェースはＮｏ．７共通線信号方式の接続用の通信インターフェース回路であって、Ｎｏ．７共通線信号網とＩＰ網とを接続させることを特徴とする請求項１乃至８いずれか１つに記載の通信制御方法。
【請求項１０】
対向装置と接続される通信制御装置において、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図るステップと、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させるステップとからなる通信制御プログラム。
【請求項１１】
前記通信インターフェースを再起動中に前記通信制御装置の他の機能ブロックは動作を継続することを特徴とする請求項１０記載の通信制御プログラム。
【請求項１２】
前記通信制御装置は、前記通信制御装置全体の再起動によっても再起動信号送信の所定時間後に前記通信インターフェース管理部が起動完了通知信号を受信しない場合に前記通信制御装置障害へ遷移することを特徴とする請求項１０記載の通信制御プログラム。
【請求項１３】
前記通信制御装置は、前記通信制御装置障害へ遷移する前に前記対向装置との通信を停止させることを特徴とする請求項１２記載の通信制御プログラム。
【請求項１４】
前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする請求項１０記載の通信制御プログラム。
【請求項１５】
前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする請求項１０記載の通信制御プログラム。
【請求項１６】
前記通信インターフェースは複数枚装備されて、一方の通信インターフェースが再起動中に他方の通信インターフェースが動作を継続することを特徴とする請求項１０記載の通信制御プログラム。
【請求項１７】
前記通信制御装置は、複数のサーバ装置を搭載可能で電源やファンを共通化したブレードサーバで構成されることでコンパクトに製造されて複数台の装置を同時に再起動可能である請求項１０乃至１６いずれか１つに記載の通信制御プログラム。
【請求項１８】
前記通信インターフェースはＮｏ．７共通線信号方式の接続用の通信インターフェース回路であって、Ｎｏ．７共通線信号網とＩＰ網とを接続させることを特徴とする請求項１０乃至１７いずれか１つに記載の通信制御プログラム。
【請求項１９】
対向装置と前記対向装置と接続される通信制御装置を含む通信制御システムにおいて、対向装置と結合される通信インターフェースと、前記通信インターフェースを制御する通信インターフェース管理部とを備えて、
前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図る機能と、
前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させる機能とを備える通信制御システム。
【請求項２０】
前記通信インターフェースを再起動中に前記通信制御装置の他の機能ブロックは動作を継続することを特徴とする請求項１９記載の通信制御システム。
【請求項２１】
前記通信制御装置は、前記通信制御装置全体の再起動によっても再起動信号送信の所定時間後に起動完了通知信号を受信しない場合に前記通信制御装置障害へ遷移することを特徴とする請求項１９記載の通信制御システム。
【請求項２２】
前記通信制御装置は、前記通信制御装置障害へ遷移する前に前記対向装置との通信を停止させることを特徴とする請求項２１記載の通信制御システム。
【請求項２３】
前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする請求項１９記載の通信制御システム。
【請求項２４】
前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする請求項１９記載の通信制御システム。
【請求項２５】
前記通信インターフェースは複数枚装備されて、一方の通信インターフェースが再起動中に他方の通信インターフェースが動作を継続することを特徴とする請求項１９記載の通信制御システム。
【請求項２６】
前記通信制御装置は、複数のサーバ装置を搭載可能で電源やファンを共通化したブレードサーバで構成されることでコンパクトに製造されて複数台の装置を同時に再起動可能である請求項１９乃至２５いずれか１つに記載の通信制御システム。
【請求項２７】
前記通信インターフェースはＮｏ．７共通線信号方式の接続用の通信インターフェース回路であって、Ｎｏ．７共通線信号網とＩＰ網とを接続させることを特徴とする請求項１９乃至２６いずれか１つに記載の通信制御システム。
【請求項２８】
対向装置と接続される通信制御サーバにおいて、対向装置と結合される通信インターフェースと、前記通信インターフェースを制御する通信インターフェース管理部とを備えて、
前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図る機能と、
前記通信インターフェース管理部が前記通信インターフェースから再起動信号送信の所定時間後に起動完了通知信号を受信しない場合にのみ通信制御サーバ全体を段階的に再起動させることで前記通信制御サーバ全体の通信中断時間を短縮させる機能とを備える通信制御サーバ。
【請求項２９】
前記通信インターフェースを再起動中に他の機能ブロックは動作を継続することを特徴とする請求項２８記載の通信制御サーバ。
【請求項３０】
さらに全体の再起動によっても再起動信号送信の所定時間後に前記通信インターフェース管理部が起動完了通知信号を受信しない場合に前記通信制御装置障害へ遷移することを特徴とする請求項２８記載の通信制御サーバ。
【請求項３１】
さらに本体の障害へ遷移する前に前記対向装置との通信を停止させることを特徴とする請求項３０記載の通信制御サーバ。
【請求項３２】
前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする請求項２８記載の通信制御サーバ。
【請求項３３】
前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする請求項２８記載の通信制御サーバ。
【請求項３４】
前記通信インターフェースは複数枚装備されて、一方の通信インターフェースが再起動中に他方の通信インターフェースが動作を継続することを特徴とする請求項２８記載の通信制御サーバ。
【請求項３５】
前記通信制御装置は、複数のサーバ装置を搭載可能で電源やファンを共通化したブレードサーバで構成されることでコンパクトに製造されて複数台の装置を同時に再起動可能である請求項２８乃至３４いずれか１つに記載の通信制御サーバ。
【請求項３６】
前記通信インターフェースはＮｏ．７共通線信号方式の接続用の通信インターフェース回路であって、Ｎｏ．７共通線信号網とＩＰ網とを接続させることを特徴とする請求項２８乃至３５いずれか１つに記載の通信制御サーバ。
【発明の詳細な説明】
【技術分野】
【０００１】
本発明は、対向装置と結合される通信インターフェースを搭載する通信制御装置において、前記対向装置との通信に障害が生じた場合に前記通信インターフェースと前記通信制御装置について段階的に復旧を試みることにより、障害からの復旧までの前記通信制御装置のサービス停止時間を短縮する通信制御方法、通信制御プログラム、通信制御システム並びに通信制御サーバに関する。
【背景技術】
【０００２】
従来は共通線信号方式においてＳＳ７（Ｓｉｇｎａｌｉｎｇ  Ｓｙｓｔｅｍ  Ｎｏ．７）回線終端装置と信号処理装置を別装置として構成した場合、設置面積や導入・保守コストが大きくなるという課題を有していた。
【０００３】
それらの問題を解決する為に、ＳＳ７回線終端機能と信号処理機能を縮退したブレードサーバによるシステム設計が考案されている。
【０００４】
ＳＳ７回線カード装置を縮退したブレードサーバにおいて、ブレードサーバ上の障害管理機能部がＳＳ７回線カード装置障害を検出した場合、ソフトウェア要因による障害の可能性がある為、再起動による自律復旧を試みることが可能である。
【０００５】
しかし、ＳＳ７回線カード装置を実装したブレードサーバの再起動は、ＳＳ７回線終端装置と信号処理装置を別装置としている構成でのＳＳ７回線終端装置の再起動に比べ、ブレードサーバ自身の再起動を伴う為、サービス中断時間が長くなるという問題がある。
【０００６】
また、ブレードサーバ自身が再起動することにより、複数のＳＳ７回線カード装置を実装している場合に障害を検出していないＳＳ７回線カード装置を使用したサービスや、ＳＳ７回線カード装置を使用しないサービスまで中断してしまう問題がある。
【０００７】
これに対して、特許文献１は、既存の回線交換ネットワークとＩＰ（Ｉｎｔｅｒｎｅｔ  Ｐｒｏｔｏｃｏｌ）ネットワークとの間で必要なメディアのフォーマット変換を行うメディアゲートウェイと、各々メディアゲートウェイを制御してＩＰ網側の呼・コネクション制御を行う複数のメディアゲートウェイコントローラと、回線交換網とＩＰ網との間でシグナリング転送機能を提供するシグナリングゲートウェイとを用い、回線交換網を介してＩＰネットワークサービスを提供するゲートウェイシステムにおいて、メディアゲートウェイコントローラ側の障害発生時に当該メディアゲートウェイコントローラの制御する回線の閉塞を回線交換網の対向局に要求する機能をシグナリングゲートウェイに持ち、シグナリングゲートウェイに信号メッセージのルーティングアドレスとして用いられる信号局コードを付与することによって、メディアゲートウェイコントローラ側で障害が発生した場合でも、呼損や信号局コードアクセス不可を防ぐことができ、通話回線を有効利用することができるように構成されている。すなわち、シグナリングゲートウェイに信号メッセージのルーティングアドレスとして用いられる信号局コードを付与する特徴を有しており、信号によって障害を解決する方法が提案されている。
【０００８】
一方、特許文献２は、センタ装置にＩＳＤＮ（Ｉｎｔｅｇｒａｔｅｄ  Ｓｅｒｖｉｃｅ  Ｄｉｇｉｔａｌ  Ｎｅｔｗｏｒｋ）回線網を介して接続される端末装置において、回線インターフェース部、回線制御部及び装置制御部等のインテリジェントな回路を持つ各部に発生した障害を検出する監視手段と、この監視手段にて障害が検出されると、前記インテリジェントな回路を持つ各部をリセットするリセット手段と、このリセット手段によって前記インテリジェントな回路を持つ各部がリセットされた後、これら各部に初期値を設定して初期化する初期化手段とを具備したことを特徴とする端末装置が開示されており、障害発生部分をリセットした後初期化することにより、その障害を無くして、自動的に装置を再立ち上げる構成となっているため、回復可能な障害が端末装置に発生しても、リセットと初期化により短時間に復旧してデータの送受信を行なえるようになるという特徴を有している。
【０００９】
【特許文献１】特開２００２−２９０５５１号公報
【特許文献２】特開平３−２５０８３５号公報
【発明の開示】
【発明が解決しようとする課題】
【００１０】
しかしながら、障害が発生した場合に、障害発生箇所を特定するのは必ずしも容易ではない。ここで、再起動により装置を初期状態にリセットすることは、有効な障害解消方法である。しかし、再起動すべき箇所を特定するのは容易ではなく、複数回の再起動が必要となることも少なくない。
【００１１】
さらに、再起動を闇雲に複数回行なうことは障害復旧に必要以上の時間がかかることとなる。従って、最適な部分の再起動が最も好ましく、また、再起動をすべき領域は必要最低限であることが好ましい。また、複数回の再起動が必要な場合も、最小限の領域の再起動を優先して行なうことで復旧時間の遅れを最小限にとどめることが必要である。
【００１２】
例えば特許文献１では、再起動による復旧を行なう場合には最適な故障箇所を再起動させることが必要となる。しかしながら、故障箇所の特定は容易ではない。さらに、一回の再起動により修復しない場合は、複数回の再起動が必要となる場合がある。この場合に、再起動の手順が明確である必要がある。
【００１３】
さらに、特許文献２では、状態監視部によって再起動すべき箇所の特定が容易である。しかしながら、同一箇所を複数回再起動する場合には必ずしも解決可能な構成ではない。複数回の再起動が必要であるのか、不要であるかは障害発生の原因によるため容易に特定できない。このため再起動する箇所を限定して行なうことで、最小限の再起動によって障害の回復を図ることができる。しかし、特許文献２に開示される方法では必ずしも明確に対応できていない。
【００１４】
そこで、本発明の目的は、対向装置と結合される通信インターフェースを搭載する通信制御装置において、前記対向装置との通信に障害が生じた場合に前記通信インターフェースと前記通信制御装置について段階的に復旧を試みることにより、障害からの復旧までの前記通信制御装置のサービス停止時間を短縮する通信制御方法、通信制御プログラム、通信制御システム並びに通信制御サーバを提供することにある。
【課題を解決するための手段】
【００１５】
上記の課題を解決すべく本発明に係る通信制御方法は、対向装置と接続される通信制御装置において、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図り、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させることを特徴とする。
【００１６】
また、前記通信インターフェースを再起動中に前記通信制御装置の他の機能ブロックは動作を継続してもよい。
【００１７】
さらに、前記通信制御装置は、前記通信制御装置全体の再起動によっても再起動信号送信の所定時間後に前記通信インターフェース管理部が起動完了通知信号を受信しない場合に前記通信制御装置障害へ遷移してもよい。
【００１８】
加えて、前記通信制御装置は、前記通信制御装置障害へ遷移する前に前記対向装置との通信を停止させてもよい。
【００１９】
続いて、前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とさせてもよい。
【００２０】
次に、前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴としてもよい。
【００２１】
一方、前記通信インターフェースは複数枚装備されて、一方の通信インターフェースが再起動中に他方の通信インターフェースが動作を継続することを特徴としてもよい。
【００２２】
また、前記通信制御装置は、複数のサーバ装置を搭載可能で電源やファンを共通化したブレードサーバで構成されることでコンパクトに製造されて複数台の装置を同時に再起動可能であることを特徴とする。
【００２３】
さらに、前記通信インターフェースはＮｏ．７共通線信号方式の接続用の通信インターフェース回路であって、Ｎｏ．７共通線信号網とＩＰ網とを接続させることを特徴とする。
【００２４】
本発明に係る通信制御プログラムは、対向装置と接続される通信制御装置において、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図るステップと、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させるステップとからなることを特徴とする。
【００２５】
また、前記通信インターフェースを再起動中に前記通信制御装置の他の機能ブロックは動作を継続することを特徴とする。
【００２６】
さらに、前記通信制御装置は、前記通信制御装置全体の再起動によっても再起動信号送信の所定時間後に前記通信インターフェース管理部が起動完了通知信号を受信しない場合に前記通信制御装置障害へ遷移することを特徴とする。
【００２７】
加えて、前記通信制御装置は、前記通信制御装置障害へ遷移する前に前記対向装置との通信を停止させることを特徴とする。
【００２８】
続いて、前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする。
【００２９】
次に、前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする。
【００３０】
一方、前記通信インターフェースは複数枚装備されて、一方の通信インターフェースが再起動中に他方の通信インターフェースが動作を継続することを特徴とする。
【００３１】
また、前記通信制御装置は、複数のサーバ装置を搭載可能で電源やファンを共通化したブレードサーバで構成されることでコンパクトに製造されて複数台の装置を同時に再起動可能であることを特徴とする。
【００３２】
さらに、前記通信インターフェースはＮｏ．７共通線信号方式の接続用の通信インターフェース回路であって、Ｎｏ．７共通線信号網とＩＰ網とを接続させることを特徴とする。
【００３３】
加えて、本発明に係る通信制御システムは、対向装置と前記対向装置と接続される通信制御装置を含む通信制御システムにおいて、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図る機能と、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させる機能とを備えることを特徴とする。
【００３４】
続いて、前記通信インターフェースを再起動中に前記通信制御装置の他の機能ブロックは動作を継続することを特徴とする。
【００３５】
次に、前記通信制御装置は、前記通信制御装置全体の再起動によっても再起動信号送信の所定時間後に起動完了通知信号を受信しない場合に前記通信制御装置障害へ遷移することを特徴とする。
【００３６】
一方、前記通信制御装置は、前記通信制御装置障害へ遷移する前に前記対向装置との通信を停止させることを特徴とする。
【００３７】
また、前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする。
【００３８】
さらに、前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする。
【００３９】
加えて、前記通信インターフェースは複数枚装備されて、一方の通信インターフェースが再起動中に他方の通信インターフェースが動作を継続することを特徴とする。
【００４０】
続いて、前記通信制御装置は、複数のサーバ装置を搭載可能で電源やファンを共通化したブレードサーバで構成されることでコンパクトに製造されて複数台の装置を同時に再起動可能であることを特徴とする。
【００４１】
次に、前記通信インターフェースはＮｏ．７共通線信号方式の接続用の通信インターフェース回路であって、Ｎｏ．７共通線信号網とＩＰ網とを接続させることを特徴とする。
【００４２】
一方、本発明に係る通信制御サーバは、対向装置と接続される通信制御サーバにおいて、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図る機能と、前記通信インターフェース管理部が前記通信インターフェースから再起動信号送信の所定時間後に起動完了通知信号を受信しない場合にのみ通信制御サーバ全体を段階的に再起動させることで前記通信制御サーバ全体の通信中断時間を短縮させる機能とを備えることを特徴とする。
【００４３】
また、前記通信インターフェースを再起動中に他の機能ブロックは動作を継続することを特徴とする。
【００４４】
さらに全体の再起動によっても再起動信号送信の所定時間後に前記通信インターフェース管理部が起動完了通知信号を受信しない場合に前記通信制御装置障害へ遷移することを特徴とする。
【００４５】
加えて、本体の障害へ遷移する前に前記対向装置との通信を停止させることを特徴とする。
【００４６】
続いて、前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることを特徴とする。
【００４７】
続いて、前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることを特徴とする。
【００４８】
次に、前記通信インターフェースは複数枚装備されて、一方の通信インターフェースが再起動中に他方の通信インターフェースが動作を継続する。
【００４９】
一方、前記通信制御装置は、複数のサーバ装置を搭載可能で電源やファンを共通化したブレードサーバで構成されることでコンパクトに製造されて複数台の装置を同時に再起動可能であることを特徴とする。
【００５０】
また、前記通信インターフェースはＮｏ．７共通線信号方式の接続用の通信インターフェース回路であって、Ｎｏ．７共通線信号網とＩＰ網とを接続させることを特徴とする。
【発明の効果】
【００５１】
本発明に係る通信制御方法は、対向装置と接続される通信制御装置において、対向装置と結合される通信インターフェースと、前記通信インターフェースを制御する通信インターフェース管理部とを備えて、前記通信インターフェース管理部が前記対向装置との通信に障害が生じた信号を受信した場合に、まず前記通信インターフェース管理部が前記通信インターフェースに再起動信号を送信して前記通信インターフェースを再起動させて障害除去を図り、前記通信インターフェース管理部が前記通信インターフェースから再起動信号送信の所定時間後に起動完了通知信号を受信しない場合にのみ通信制御装置全体を段階的に再起動させることで前記通信制御装置全体の通信中断時間を短縮させることによって、通信制御装置の中断による通信障害の発生時間を最小限におさえることができると共に、必要最低限な箇所を再起動することでサービス停止時間が最小限となり、不必要な再起動や、通信中断を防ぐことが可能となる。
【００５２】
また、前記通信インターフェースを再起動中に前記通信制御装置の他の機能ブロックは動作を継続することで、他の機能ブロックの動作を確保したまま必要な箇所の再起動によって復旧するため、前記通信制御装置による障害の被害を最小限とすることができる。
【００５３】
前記通信制御装置は、前記通信制御装置全体の再起動によっても再起動信号送信の所定時間後に前記通信インターフェース管理部が起動完了通知信号を受信しない場合に前記通信制御装置障害へ遷移することで、一部の回路の再起動で復旧する場合は、最低限の時間で最低限の部分の再起動で復旧可能となる。一方、起動完了通知信号が復帰しない場合は、更なる再起動により抜本的な再起動が可能となる。
【００５４】
前記通信制御装置は、前記通信制御装置障害へ遷移する前に前記対向装置との通信を停止させることで、再起動による突然の信号中断を未然に防止することが可能である。
【００５５】
前記通信インターフェースは、さらにその内部に内部ブロックを備えており前記通信インターフェース管理部が前記対向装置との通信に障害が生じた信号を受信した場合にまず前記通信インターフェース管理部が前記通信インターフェース内部ブロックに再起動信号を送信して前記通信インターフェース内部ブロックを再起動させて障害除去を図ることで、通信インターフェース全体の誤動作が原因でなく、その一部故障により障害が発生しており、その内部ブロックのみの再起動で解決する場合は、再起動の箇所を必要最低限に限定することができ、通信の中断等時間を最低限に限定することができる。
【００５６】
前記通信インターフェース管理部は、その内部プロセスプログラムとして通信インターフェース管理プロセスを備え、前記通信インターフェース管理部が前記通信インターフェースから再起動信号送信の所定時間後に起動完了通知信号を受信しない場合に前記通信インターフェース管理プロセスを再起動させて障害除去を図ることにより、原因が通信インターフェース管理プロセスにより障害が発生している場合に、通信インターフェース管理プロセスの再起動によって障害を除去できる場合は、再起動による通信停止の被害を最小限とすることができる。
【００５７】
前記通信インターフェースは複数枚装備されて、一方の通信インターフェースが再起動中に他方の通信インターフェースが動作を継続することで障害発生時においても、動作可能なインターフェースを活用させることで障害による影響を最小限とすることができる。
【００５８】
前記通信制御装置は、複数のサーバ装置を搭載可能で電源やファンを共通化したブレードサーバで構成されることでコンパクトに製造されて複数台の装置を同時に再起動可能であるため、同時再起動が可能であるとともに各サーバごとの占有空間を最低限とすることができる。
【００５９】
前記通信インターフェースはＮｏ．７共通線信号方式の接続用の通信インターフェース回路であって、Ｎｏ．７共通線信号ネットワークとＩＰネットワークとを接続させることを特徴とすることでＶｏＩＰ（Ｖｏｉｃｅ  ｏｖｅｒ  Ｉｎｔｅｒｎｅｔ  Ｐｒｏｔｏｃｏｌ）環境等の環境に対応することができる。
【発明を実施するための最良の形態】
【００６０】
以下本発明の実施の形態について複数の実施例を用いて以下に説明する。
【００６１】
なお、本発明は、上記の実施の形態に限定されず、本発明の技術思想の範囲内において、実施の形態が適宜変更され得るものである。
【実施例１】
【００６２】
図１は、本発明の実施例１に係る通信制御システムのブロック図である。第１の実施例は、ＳＳ７回線カードと全ブレードサーバの再起動を段階的に行なう点を特徴とする実施例である。初めに第１の実施例の構成について説明し、続いてその動作について説明する。
【００６３】
図１において、指示番号２が示すブロックは、共通電源と共通ファンを備えて複数のブレードを内蔵するブレードサーバであり、指示番号４が示すブロックは、ブレードサーバ２と対向接続される対向装置であり、具体的には共通線信号網内の伝送装置である。
【００６４】
ブレードサーバ２内部には、共通線信号網内の対向装置との接続インターフェースであるＳＳ７回線カード６と、ＳＳ７回線カード６の障害信号を受信してＳＳ７回線カード６の動作状態を検出して、必要に応じて起動信号を送信する障害管理機能部８を有する。
【００６５】
対向装置４は、ＳＳ７回線カード６とＳＳ７方式により通信を行う機能と、ＳＳ７回線カード６とのリンク断を検出する機能を有する。
【００６６】
ＳＳ７回線カード６は、詳細には中央演算素子と記憶素子と、内部バスとＩＰ網との通信部とＳＳ７との通信部とを含むインターフェース素子を含む周辺装置から構成されて、中央演算素子または記憶素子に内蔵されるソフトウェアまたは回路構成の中に、対向装置４とＳＳ７方式により通信を行う機能と、障害管理機能部８へ障害発生通知を送信する機能と、障害管理機能部８から初期化命令を受信する機能と、障害管理機能部８へ起動完了通知を送信する機能と、障害管理機能部８へ起動失敗通知を送信する機能と、ＳＳ７回線カード６を再起動する機能を内包する。
【００６７】
障害管理機能部８は、詳細には中央演算素子と記憶素子と、内部バスとＳＳ７回線カード６との通信部を含むインターフェース素子を含む周辺装置とから構成されて、中央演算素子または記憶素子に内蔵されるソフトウェアまたは回路構成の中に、ＳＳ７回線カード６から障害発生通知を受信する機能と、ＳＳ７回線カード装置６へ初期化命令を送信する機能と、ＳＳ７回線カード６から起動完了通知を受信する機能と、ＳＳ７回線カード６から起動失敗通知を受信する機能と、ブレードサーバ２を再起動する機能と、ブレードサーバ２をハード障害状態へ遷移させる機能を内包する。
【００６８】
次に本発明の実施例１の動作について図２、図３に示す通信制御方法に従った通信制御プログラムのフローチャートを用いて以下に説明する。
【００６９】
本実施例１では、ＳＳ７回線カード６と対向装置４とはリンク接続してＳＳ７共通信号線方式で通信が行なわれる（ＳＡ２）。この際に障害管理機能部８は、ＳＳ７回線カード６に障害が発生しているか否かを監視している。
【００７０】
ＳＳ７回線カード６に障害が発生すると（ＳＡ４）、ＳＳ７回線カード６は障害発生通知信号を障害管理機能部８に与える（ＳＡ８）。
【００７１】
対向装置４は、ＳＳ７回線カード６と対向装置４との間のリンク断を検出してＳＳ７回線カード６との通信を終了する（ＳＡ６）。
【００７２】
障害管理機能部８は、ＳＳ７回線カード６に対して初期化命令通信信号を与える（ＳＡ１０）。
【００７３】
ＳＳ７回線カード６は、初期化命令通信信号（ＳＡ１０）を受信してＳＳ７回線カード６の再起動を行う（ＳＡ１２）。ＳＳ７回線カード６は、再起動（ＳＡ１２）が正常に完了した場合に、起動結果通知（ＳＡ１４）として起動完了通知信号を障害管理機能部８へ送信する。再起動が正常に終了しなかった場合は、起動結果通知（ＳＡ１４）として起動失敗通知信号を障害管理機能部８へ送信する。
【００７４】
障害管理機能部８は起動結果通知（ＳＡ１４）として起動完了通知信号、もしくは起動結果通知（ＳＡ１４）として起動失敗通知信号を受信した場合、もしくは一定時間、通知を受信しなかった場合、ＳＳ７回線カード起動判定を行う（ＳＡ１６）。具体的には起動結果通知として起動完了通知信号を受信した場合は、起動完了と判定し、ＳＳ７回線カード６の復旧が完了となる（ＳＡ１８）。この場合、通信が中断される時間はＳＳ７回線カード６のみの再起動時間となる為、不要な再起動が発生せず、極めて短時間での復旧となる。また、他の回路構成が有る場合は影響を受けないため障害発生によるサービス停止のエリアも限定的となる。
【００７５】
一方、起動結果通知として起動失敗通知信号（ＳＡ１４）を受信した場合、もしくは一定時間、通知を受信しなかった場合は、起動未完了となる。この場合、障害管理機能部８は、ＳＳ７回線カード６を有するブレードサーバ２の再起動を行う（ＳＡ２０）。
【００７６】
ブレードサーバ２の再起動（ＳＡ２０）の完了後、図３に転じて、障害管理機能部８はＳＳ７回線カード６へ初期化命令信号を送信する（ＳＡ２２）。
【００７７】
ＳＳ７回線カード６は障害管理機能部８からの初期化命令信号（ＳＡ２２）を受信し、ＳＳ７回線カード６の再起動を行う（ＳＡ２４）。
【００７８】
ＳＳ７回線カード６は再起動（ＳＡ２４）が正常に完了した場合に、起動結果通知（ＳＡ２６）として起動完了通知信号を障害管理機能部８へ送信する。再起動が正常に終了しなかった場合は、起動結果通知（ＳＡ２６）として起動失敗通知を障害管理機能部８へ送信する。
【００７９】
障害管理機能部８は起動結果通知（ＳＡ２６）として起動完了通知、もしくは起動失敗通知を受信した場合、もしくは一定時間、通知を受信しなかった場合、ＳＳ７回線カード６の起動判定を行う（ＳＡ２８）。
【００８０】
ＳＳ７回線カード６起動判定（ＳＡ２８）で起動完了している場合、ＳＳ７回線カード６の復旧が完了している（ＳＡ３０）。ＳＳ７回線カード６起動判定（ＳＡ２８）で起動失敗している場合、障害管理機能部８は、ＳＳ７回線カード６の自動復旧が出来ない為、ブレードサーバ２をハード障害状態へ遷移させる（ＳＡ３２）。
【００８１】
以上説明したように、本発明においては、以下に記載するような効果を奏する。
【００８２】
第１の効果は、ＳＳ７回線カード６の障害要因が軽度の場合、ＳＳ７回線カード６のみの再起動で通信可能となり、サービス停止時間が短くなることである。
【００８３】
第２の効果は、ＳＳ７回線カード６の再起動の間、ブレードサーバはＳＳ７回線カードを用いないサービスを継続できることである。
【実施例２】
【００８４】
続いて本発明の第２の実施例について以下に示す。第２の実施例は、ＳＳ７回線カード内に内部ブロックを有する点を特徴とする実施例である。初めに第２の実施例の構成について説明し、続いてその動作について説明する。
【００８５】
図４は、本発明の実施例２に係る通信制御システムのブロック図である。指示番号１０が示すブロックは、共通電源と共通ファンを備えて複数のブレードを内蔵するブレードサーバであり、指示番号１２が示すブロックは、ブレードサーバ１０と対向接続される対向装置であり、具体的には共通線信号網内の伝送装置である。
【００８６】
ブレードサーバ１０内部には、共通線信号網内の対向装置との接続インターフェースであるＳＳ７回線カード１４と、ＳＳ７回線カード１４の障害信号を受信してＳＳ７回線カード１４の動作状態を検出して、必要に応じて起動信号を送信する障害管理機能部１６を有する。
【００８７】
対向装置１２は、ＳＳ７回線カード１４とＳＳ７方式により通信を行う機能と、ＳＳ７回線カード１４とのリンク断を検出する機能を有する。
【００８８】
ＳＳ７回線カード１４は、詳細には中央演算素子と記憶素子と、内部バスとＩＰ網との通信部とＳＳ７との通信部とを含むインターフェース素子を含む周辺装置から構成される。加えて、中央演算素子または記憶素子に内蔵されるソフトウェアまたは回路構成の中に、対向装置１２とＳＳ７方式により通信を行う機能と、障害管理機能部１６へ障害発生通知を送信する機能と、障害管理機能部１６から初期化命令を受信する機能と、障害管理機能部１６へ起動完了通知を送信する機能と、障害管理機能部１６へ起動失敗通知を送信する機能と、ＳＳ７回線カード１４を再起動する機能を内包する。
【００８９】
ここで、さらに、ＳＳ７回線カード１４内のＳＳ７との通信部とを含むインターフェース素子を内部ブロック１８として定義する。この内部ブロック１８は、外部からこのブロックのみの再起動が可能に構成される。この内部ブロック１８はさらに、障害管理機能部１６へ内部ブロック障害発生通知を送信する機能と、障害管理機能部１６から内部ブロック初期化命令を受信する機能と、障害管理機能部１６へ内部ブロック起動完了通知を送信する機能と、障害管理機能部１６へ内部ブロック起動失敗通知を送信する機能と、ＳＳ７回線カード１４の内部ブロックを再起動する機能とを内包する。
【００９０】
障害管理機能部１６は、詳細には中央演算素子と記憶素子と、内部バスとＳＳ７回線カード１４との通信部を含むインターフェース素子を含む周辺装置とから構成されて、中央演算素子または記憶素子に内蔵されるソフトウェアまたは回路構成の中に、ＳＳ７回線カード１４から障害発生通知を受信する機能と、ＳＳ７回線カード装置１４へ初期化命令を送信する機能と、ＳＳ７回線カード１４から起動完了通知を受信する機能と、ＳＳ７回線カード１４から起動失敗通知を受信する機能と、ＳＳ７回線カード１４から内部ブロック障害発生通知を受信する機能と、ＳＳ７回線カード装置１４へ内部ブロック初期化命令を送信する機能と、ＳＳ７回線カード１４から内部ブロック起動完了通知を受信する機能と、ＳＳ７回線カード１４から内部ブロック起動失敗通知を受信する機能と、ブレードサーバ１０を再起動する機能と、ブレードサーバ１０をハード障害状態へ遷移させる機能を内包する。
【００９１】
次に本発明の実施例２の動作について図５、図６、図７に示す通信制御方法に従った通信制御プログラムのフローチャートを用いて以下に説明する。
【００９２】
本実施例２では、ＳＳ７回線カード１４と対向装置１２とはリンク接続してＳＳ７共通信号線方式で通信が行なわれる（ＳＢ２）。この際に障害管理機能部１６は、ＳＳ７回線カード１４に障害が発生しているか否かを監視している。
【００９３】
ＳＳ７回線カード１４に障害が発生すると（ＳＢ４）、ＳＳ７回線カード１４の内部ブロック１８は内部ブロック障害発生通知信号を障害管理機能部１６に与える（ＳＢ８）。
【００９４】
対向装置１２は、ＳＳ７回線カード１４と対向装置１２との間のリンク断を検出してＳＳ７回線カード１４との通信を終了する（ＳＢ６）。
【００９５】
障害管理機能部１６は、ＳＳ７回線カード１４に対して内部ブロック１８を初期化する内部ブロック初期化命令通信信号を与える（ＳＢ１０）。
【００９６】
ＳＳ７回線カード１４は、内部ブロック初期化命令通信信号（ＳＢ１０）を受信してＳＳ７回線カード１４内の内部ブロック１８について再起動を行う（ＳＢ１２）。ＳＳ７回線カード１４は、再起動（ＳＢ１２）が正常に完了した場合に、内部ブロック起動結果通知（ＳＢ１４）として内部ブロック起動完了通知信号を障害管理機能部１６へ送信する。内部ブロック再起動が正常に終了しなかった場合は、内部ブロック起動結果通知（ＳＢ１４）として内部ブロック起動失敗通知信号を障害管理機能部１６へ送信する。
【００９７】
障害管理機能部１６は内部ブロック起動結果通知（ＳＢ１４）として内部ブロック起動完了通知信号、もしくは内部ブロック起動結果通知（ＳＢ１４）として内部ブロック起動失敗通知信号を受信した場合、もしくは一定時間、通知を受信しなかった場合、ＳＳ７回線カード内部ブロック起動判定を行う（ＳＢ１６）。具体的には内部ブロック起動結果通知として内部ブロック起動完了通知信号を受信した場合は、内部ブロック起動完了と判定し、ＳＳ７回線カード１４の内部ブロックの復旧が完了となる（ＳＢ１８）。この場合、通信が中断される時間はＳＳ７回線カード１４の内部ブロックのみの再起動時間となる為、不要な再起動が発生せず、極めて短時間での復旧となる。また、他の回路構成が有る場合は影響を受けないため障害発生によるサービス停止のエリアも限定的となる。
【００９８】
一方、内部ブロック起動結果通知（ＳＢ１４）として内部ブロック起動失敗通知信号を受信した場合、もしくは一定時間、通知を受信しなかった場合は、起動未完了となる。この場合、障害管理機能部１６はＳＳ７回線カード１４へ初期化命令信号を送信する（ＳＢ２０）。ＳＳ７回線カード１４全体は、初期化命令信号（ＳＢ２０）を受信して再起動を行う（ＳＢ２２）。
【００９９】
ＳＳ７回線カード１４全体の再起動（ＳＢ２２）の完了後、図６に転じて、ＳＳ７回線カード１４は再起動（ＳＢ２２）が正常に完了した場合に、起動結果通知（ＳＢ２４）として起動完了通知信号を障害管理機能部１６へ送信する。再起動が正常に終了しなかった場合は、起動結果通知（ＳＢ２４）として起動失敗通知を障害管理機能部１６へ送信する。
【０１００】
障害管理機能部１６は起動結果通知（ＳＢ２４）として起動完了通知、もしくは起動失敗通知を受信した場合、もしくは一定時間、通知を受信しなかった場合、ＳＳ７回線カード１４の起動判定を行う（ＳＢ２６）。
【０１０１】
ＳＳ７回線カード１４起動判定（ＳＢ２６）で起動完了している場合、ＳＳ７回線カード１４の復旧が完了している（ＳＢ２８）。ＳＳ７回線カード１４起動判定（ＳＢ２６）で起動失敗している場合、障害管理機能部１６は、ＳＳ７回線カード１４の自動復旧が出来ない為、ブレードサーバ１０を再起動させる（ＳＢ３０）。
【０１０２】
ブレードサーバ１０の再起動（ＳＢ３０）の完了後、障害管理機能部１６はＳＳ７回線カード１４へ初期化命令信号を送信する（ＳＢ３２）。
【０１０３】
ＳＳ７回線カード１４は障害管理機能部１６からの初期化命令信号（ＳＢ３２）を受信し、ＳＳ７回線カード１４の再起動を行う（ＳＢ３４）。
【０１０４】
ＳＳ７回線カード１４は再起動（ＳＢ３４）が正常に完了した場合に、起動結果通知として起動完了通知信号を障害管理機能部１６へ送信する（ＳＢ３６）。再起動が正常に終了しなかった場合は、起動結果通知として起動失敗通知を障害管理機能部１６へ送信する（ＳＢ３６）。
【０１０５】
障害管理機能部１６は起動完了通知、もしくは起動失敗通知（ＳＢ３６）を受信した場合、もしくは一定時間、通知を受信しなかった場合、ＳＳ７回線カード１４起動判定を行う（ＳＢ３８）。
【０１０６】
ＳＳ７回線カード１４起動判定（ＳＢ３８）で起動完了している場合、ＳＳ７回線カード１４の復旧が完了している（ＳＢ４０）。ＳＳ７回線カード１４起動判定（ＳＢ３８）で起動失敗している場合、障害管理機能部１６は、ＳＳ７回線カード１４の自動復旧が出来ない為、ブレードサーバ１０をハード障害状態へ遷移させる（ＳＢ４２）。
【０１０７】
以上説明したように、本発明においては、以下に記載するような効果を奏する。
【０１０８】
第１の効果は、ＳＳ７回線カード１４の障害要因が軽度の場合、ＳＳ７回線カード１４の内部ブロック１８のみの再起動で通信可能となり、サービス停止時間が短くなることである。
【０１０９】
第２の効果は、ＳＳ７回線カード１４の再起動の間、ブレードサーバはＳＳ７回線カード装置を用いないサービスを継続できることである。
【実施例３】
【０１１０】
続いて本発明の第３の実施例について以下に示す。第３の実施例は、障害管理機能部内にそのソフトウェアである管理プロセスを別個に再起動できる点を特徴とする実施例である。初めに第３の実施例の構成について説明し、続いてその動作について説明する。
【０１１１】
図８は、本発明の実施例３に係る通信制御システムのブロック図である。指示番号２２が示すブロックは、共通電源と共通ファンを備えて複数のブレードを内蔵するブレードサーバであり、指示番号２４が示すブロックは、ブレードサーバ２２と対向接続される対向装置であり、具体的には共通線信号網内の伝送装置である。
【０１１２】
ブレードサーバ２２内部には、共通線信号網内の対向装置との接続インターフェースであるＳＳ７回線カード２６と、ＳＳ７回線カード２６の障害信号を受信してＳＳ７回線カード２６の動作状態を検出して、必要に応じて起動信号を送信する障害管理機能部２８を有する。
【０１１３】
対向装置２４は、ＳＳ７回線カード２６とＳＳ７方式により通信を行う機能と、ＳＳ７回線カード２６とのリンク断を検出する機能を有する。
【０１１４】
ＳＳ７回線カード２６は、詳細には中央演算素子と記憶素子と、内部バスとＩＰ網との通信部とＳＳ７との通信部とを含むインターフェース素子を含む周辺装置から構成される。加えて、中央演算素子または記憶素子に内蔵されるソフトウェアまたは回路構成の中に、対向装置２４とＳＳ７方式により通信を行う機能と、障害管理機能部２８へ障害発生通知を送信する機能と、障害管理機能部２８から初期化命令を受信する機能と、障害管理機能部２８へ起動完了通知を送信する機能と、障害管理機能部２８へ起動失敗通知を送信する機能と、ＳＳ７回線カード２８を再起動する機能を内包する。
【０１１５】
障害管理機能部２８は、詳細には中央演算素子と記憶素子と、内部バスとＳＳ７回線カード２６との通信部を含むインターフェース素子を含む周辺装置とから構成されて、中央演算素子または記憶素子に内蔵されるソフトウェアとして、管理プロセス３０を内包する。
【０１１６】
ここで、障害管理機能部２８に内蔵されるソフトウェアとしてのＳＳ７回線カード２６から障害発生通知を受信する機能と、ＳＳ７回線カード装置２６へ初期化命令を送信する機能と、ＳＳ７回線カード２６から起動完了通知を受信する機能と、ＳＳ７回線カード２６から起動失敗通知を受信する機能と、ブレードサーバ２２を再起動する機能と、ブレードサーバ２２をハード障害状態へ遷移させる機能を有するプロセスを管理プロセス３０とする。
【０１１７】
次に本発明の実施例３の動作について図９、図１０及び図１１に示す通信制御方法に従った通信制御プログラムのフローチャートを用いて以下に説明する。
【０１１８】
本実施例３では、ＳＳ７回線カード２６と対向装置２８とはリンク接続してＳＳ７共通信号線方式で通信が行なわれる（ＳＣ２）。この際に障害管理機能部２８は、ＳＳ７回線カード２６に障害が発生しているか否かを監視している。
【０１１９】
ＳＳ７回線カード２６に障害が発生すると（ＳＣ４）、ＳＳ７回線カード２６は障害発生通知信号を障害管理機能部２８に与える（ＳＣ６）。
【０１２０】
対向装置２４は、ＳＳ７回線カード２６と対向装置２４との間のリンク断を検出してＳＳ７回線カード２６との通信を終了する（ＳＣ８）。
【０１２１】
障害管理機能部２８は、ＳＳ７回線カード２６を初期化する初期化命令通信信号を与える（ＳＣ１０）。
【０１２２】
ＳＳ７回線カード２６は、初期化命令通信信号（ＳＣ１０）を受信してＳＳ７回線カード２６について再起動を行う（ＳＣ１２）。ＳＳ７回線カード２６は、再起動（ＳＣ１２）が正常に完了した場合に、起動結果通知（ＳＣ１４）として起動完了通知信号を障害管理機能部２８へ送信する。ＳＳ７回線カード２６の再起動が正常に終了しなかった場合は、起動結果通知（ＳＣ１４）として起動失敗通知信号を障害管理機能部２８へ送信する。
【０１２３】
障害管理機能部２８は起動結果通知として起動完了通知信号（ＳＣ１４）、もしくは起動結果通知として起動失敗通知信号（ＳＣ１４）を受信した場合、もしくは一定時間、通知を受信しなかった場合、ＳＳ７回線カード起動判定を行う（ＳＣ１６）。具体的には起動結果通知として起動完了通知信号を受信した場合は、起動完了と判定し、ＳＳ７回線カード２６の復旧が完了となる（ＳＣ１８）。この場合、通信が中断される時間はＳＳ７回線カード２６のみの再起動時間となる為、不要な再起動が発生せず、極めて短時間での復旧となる。また、他の回路構成が有る場合は影響を受けないため障害発生によるサービス停止のエリアも限定的となる。
【０１２４】
一方、起動結果通知（ＳＣ１４）として起動失敗通知信号を受信した場合、もしくは一定時間、通知を受信しなかった場合は、起動未完了となる。この場合、障害管理機能部２８は管理プロセス３０の再起動命令を実行する（ＳＣ２０）。管理プロセス３０は、ＳＳ７回線カード２６を制御管理する管理プロセス３０を全て停止させて再び起動される。引き続き、障害管理機能部２８は、ＳＳ７回線カード２６へ初期化命令信号を送信する（ＳＣ２２）。
【０１２５】
図１０では、ＳＳ７回線カード２６全体は、初期化命令信号（ＳＣ２２）を受信して再起動を行う（ＳＣ２４）。
【０１２６】
ＳＳ７回線カード２６全体の再起動（ＳＣ２４）の完了後、ＳＳ７回線カード２６は再起動（ＳＣ２４）が正常に完了した場合に、起動結果通知（ＳＣ２６）として起動完了通知信号を障害管理機能部２８へ送信する。再起動が正常に終了しなかった場合は、起動結果通知（ＳＣ２６）として起動失敗通知を障害管理機能部２８へ送信する。
【０１２７】
障害管理機能部２８は起動結果通知（ＳＣ２６）として起動完了通知、もしくは起動失敗通知を受信した場合、もしくは一定時間、通知を受信しなかった場合、ＳＳ７回線カード２６の起動判定を行う（ＳＣ２８）。
【０１２８】
ＳＳ７回線カード２８起動判定（ＳＣ２８）で起動完了している場合、ＳＳ７回線カード２６の復旧が完了している（ＳＣ３０）。ここで、ＳＳ７回線カード２６と管理プロセス３０の再起動とＳＳ７回線カード２６の再起動によりＳＳ７回線カード２６を復旧させることで、再起動させる装置やその部分を最小限に纏めることができるため、不必要な再起動により他のプロセスの動作停止等を防ぐことができるのでＳＳ７回線カード２８の停止による影響を最小限に抑えることができるという効果を有する。
【０１２９】
一方、ＳＳ７回線カード２６起動判定（ＳＣ２８）で起動失敗している場合、障害管理機能部２８は、ＳＳ７回線カード２６の自動復旧が出来ない為、ブレードサーバ２２を再起動させる（ＳＣ３２）。
【０１３０】
ブレードサーバ２２の再起動（ＳＣ３２）の完了後、障害管理機能部２８はＳＳ７回線カード２６へ初期化命令信号を送信する（ＳＣ３４）。
【０１３１】
ＳＳ７回線カード２６は障害管理機能部２８からの初期化命令信号（ＳＣ３４）を受信し、ＳＳ７回線カード２６の再起動を行う（ＳＣ３６）。
【０１３２】
ＳＳ７回線カード２６は再起動（ＳＣ３６）が正常に完了した場合に、起動結果通知（ＳＣ３８）として起動完了通知信号を障害管理機能部２８へ送信する。再起動が正常に終了しなかった場合は、起動結果通知（ＳＣ３８）として起動失敗通知を障害管理機能部２８へ送信する。
【０１３３】
障害管理機能部２８は起動結果通知（ＳＣ３８）として起動完了通知、もしくは起動失敗通知を受信した場合、もしくは一定時間、通知を受信しなかった場合、ＳＳ７回線カード２６起動判定を行う（ＳＣ４０）。
【０１３４】
ＳＳ７回線カード２６起動判定（ＳＣ４０）で起動完了している場合、ＳＳ７回線カード２６の復旧が完了している（ＳＣ４２）。
【０１３５】
図１１に示すようにＳＳ７回線カード２６起動判定（ＳＣ４０）で起動失敗している場合、障害管理機能部２８は、ＳＳ７回線カード２６の自動復旧が出来ない為、ブレードサーバ２２をハード障害状態へ遷移させる（ＳＣ４４）。
【０１３６】
以上説明したように、本発明においては、以下に記載するような効果を奏する。
【０１３７】
第１の効果は、ＳＳ７回線カード２６の障害要因が軽度の場合、障害管理機能部２８は管理プロセス３０とＳＳ７回線カード２６のみの再起動で通信可能となり、サービス停止時間が短くなることである。
【０１３８】
第２の効果は、管理プロセス３０の再起動の間、ブレードサーバは管理プロセス３０を用いないサービスを継続できることである。
【実施例４】
【０１３９】
続いて本発明の第４の実施例について以下に示す。第４の実施例は、ブレードサーバに複数のＳＳ７回線カードを備える場合において、その内の一つのＳＳ７回線カードに障害が発生した場合に他のＳＳ７回線カードのサービスを継続することができる点を特徴とする実施例である。初めに第４の実施例の構成について説明し、続いてその動作について説明する。
【０１４０】
図１２は、本発明の実施例４に係る通信制御システムのブロック図である。本実施例ではＳＳ７回線カードが２枚内蔵されたブレードサーバによる実施例について説明する。
【０１４１】
指示番号３２が示すブロックは、共通電源と共通ファンを備えて複数のブレードを内蔵するブレードサーバであり、指示番号３４が示すブロックは、ブレードサーバ３２と対向接続される第１の対向装置であり、具体的には共通線信号網内の伝送装置であり、指示番号３６が示すブロックは、ブレードサーバ３２と対向接続される第２の対向装置であり、具体的には共通線信号網内の伝送装置である。
【０１４２】
ブレードサーバ３２内部には、共通線信号網内の第１の対向装置３４との接続インターフェースである第１のＳＳ７回線カード３８と、共通線信号網内の第２の対向装置３６との接続インターフェースである第２のＳＳ７回線カード４０と、第１のＳＳ７回線カード３８並びに第２のＳＳ７回線カード４０の障害信号を受信して各ＳＳ７回線カード３８，４０の動作状態を検出して、必要に応じて起動信号を送信する障害管理機能部４２を有する。
【０１４３】
第１の対向装置３４は、第１のＳＳ７回線カード３８とＳＳ７方式により通信を行う機能と、第１のＳＳ７回線カード３８とのリンク断を検出する機能を有する。
【０１４４】
第２の対向装置３６は、第２のＳＳ７回線カード４０とＳＳ７方式により通信を行う機能と、第２のＳＳ７回線カード４０とのリンク断を検出する機能を有する。
【０１４５】
第１のＳＳ７回線カード３８は、詳細には中央演算素子と記憶素子と、内部バスとＩＰ網との通信部とＳＳ７との通信部とを含むインターフェース素子を含む周辺装置から構成される。加えて、中央演算素子または記憶素子に内蔵されるソフトウェアまたは回路構成の中に、第１の対向装置３４とＳＳ７方式により通信を行う機能と、障害管理機能部４２へ障害発生通知を送信する機能と、障害管理機能部４２から初期化命令を受信する機能と、障害管理機能部４２へ起動完了通知を送信する機能と、障害管理機能部４２へ起動失敗通知を送信する機能と、ＳＳ７回線カード３８を再起動する機能を内包する。
【０１４６】
第２のＳＳ７回線カード４０は、詳細には中央演算素子と記憶素子と、内部バスとＩＰ網との通信部とＳＳ７との通信部とを含むインターフェース素子を含む周辺装置から構成される。加えて、中央演算素子または記憶素子に内蔵されるソフトウェアまたは回路構成の中に、第２の対向装置３６とＳＳ７方式により通信を行う機能と、障害管理機能部４２へ障害発生通知を送信する機能と、障害管理機能部４２から初期化命令を受信する機能と、障害管理機能部４２へ起動完了通知を送信する機能と、障害管理機能部４２へ起動失敗通知を送信する機能と、ＳＳ７回線カード４０を再起動する機能を内包する。
【０１４７】
障害管理機能部４２は、詳細には中央演算素子と記憶素子と、内部バスと各ＳＳ７回線カード３８，４０との通信部を含むインターフェース素子を含む周辺装置とから構成されて、中央演算素子または記憶素子に内蔵されるソフトウェアまたは回路構成の中に、第１のＳＳ７回線カード３８から障害発生通知を受信する機能と、第１のＳＳ７回線カード装置３８へ初期化命令を送信する機能と、第１のＳＳ７回線カード３８から起動完了通知を受信する機能と、第１のＳＳ７回線カード３８から起動失敗通知を受信する機能と、第２のＳＳ７回線カード４０から障害発生通知を受信する機能と、第２のＳＳ７回線カード装置４０へ初期化命令を送信する機能と、第２のＳＳ７回線カード４０から起動完了通知を受信する機能と、第２のＳＳ７回線カード４０から起動失敗通知を受信する機能と、ブレードサーバ３２を再起動する機能と、ブレードサーバ３２をハード障害状態へ遷移させる機能を内包する。
【０１４８】
次に本発明の実施例４の動作について図１３及び図１４に示す通信制御方法に従った通信制御プログラムのフローチャートを用いて以下に説明する。
【０１４９】
本実施例４では、第１のＳＳ７回線カード３８と第１の対向装置３４とはリンク接続してＳＳ７共通信号線方式で通信が行なわれる（ＳＤ２）。この際に障害管理機能部４２は、第１のＳＳ７回線カード３８に障害が発生しているか否かを監視している。
【０１５０】
また、第２のＳＳ７回線カード４０と第２の対向装置３６とはリンク接続してＳＳ７共通信号線方式で通信が行なわれる（ＳＤ４）。この際に障害管理機能部４２は、第２のＳＳ７回線カード４０に障害が発生しているか否かを監視している。
【０１５１】
ここで、第１のＳＳ７回線カード３４に障害が発生した場合について説明する。第１のＳＳ７回線カード３４に障害が発生すると（ＳＤ６）、第１のＳＳ７回線カード３４は障害発生通知信号を障害管理機能部３８に与える（ＳＤ８）。
【０１５２】
第１の対向装置４０は、第１のＳＳ７回線カード３８と第１の対向装置３４との間のリンク断を検出してＳＳ７回線カード３８との通信を終了する（ＳＤ１０）。この通信終了（ＳＤ１０）はブレードサーバ３２とは独立して処理される為、以降の手順との順序性は本発明に影響しない。
【０１５３】
障害管理機能部４２は、第１のＳＳ７回線カード３８を初期化する初期化命令通信信号を与える（ＳＤ１２）。
【０１５４】
第１のＳＳ７回線カード３８は、初期化命令通信信号（ＳＤ１２）を受信して第１のＳＳ７回線カード３８について再起動を行う（ＳＤ１４）。第１のＳＳ７回線カード３８は、再起動（ＳＤ１４）が正常に完了した場合に、起動結果通知（ＳＤ１６）として起動完了通知信号を障害管理機能部４２へ送信する。第１のＳＳ７回線カード３８の再起動が正常に終了しなかった場合は、起動結果通知（ＳＤ１６）として起動失敗通知信号を障害管理機能部４２へ送信する。
【０１５５】
障害管理機能部４２は起動結果通知（ＳＤ１６）として起動完了通知信号、もしくは起動結果通知として起動失敗通知信号を受信した場合、もしくは一定時間、通知を受信しなかった場合、ＳＳ７回線カード起動判定を行う（ＳＤ１８）。具体的には起動結果通知として起動完了通知信号を受信した場合は、起動完了と判定し、第１のＳＳ７回線カード３８の復旧が完了となる（ＳＤ２０）。この場合、通信が中断される時間は第１のＳＳ７回線カード３４のみの再起動時間となる為、不要な再起動が発生せず、極めて短時間での復旧となる。また、他の回路構成が有る場合は影響を受けないため障害発生によるサービス停止のエリアも限定的となる。
【０１５６】
一方、起動結果通知（ＳＤ１６）として起動失敗通知信号を受信した場合、もしくは一定時間、通知を受信しなかった場合は、起動未完了となる。この場合、障害管理機能部４２は、第２のＳＳ７回線カード４０へ通信停止命令を送信する（ＳＤ２２）。
【０１５７】
第２のＳＳ７回線カード４０は障害管理機能部４２から通信停止命令（ＳＤ２２）を受信すると、第２の対向装置３６との通信を停止し（ＳＤ２４）、通信停止完了通知を障害管理機能部４２へ送信する（ＳＤ２６）。
【０１５８】
障害管理機能部４２は通信停止完了通知（ＳＤ２６）を受信すると、第１のＳＳ７回線カード３８を有するブレードサーバ３２の再起動を行う（ＳＤ２８）。
【０１５９】
図１４に示すようにブレードサーバ３２の再起動（ＳＤ２８）の完了後、障害管理機能部４２は第１のＳＳ７回線カード３８へ初期化命令を送信し（ＳＤ３０）、同時に第２のＳＳ７回線カード４０へ初期化命令を送信する（ＳＤ３２）。
【０１６０】
第１のＳＳ７回線カード３８は障害管理機能部４２からの初期化命令（ＳＤ３０）を受信し、第１のＳＳ７回線カード３８の再起動を行う（ＳＤ３４）。また、第２のＳＳ７回線カード４０は障害管理機能部４２からの初期化命令（ＳＤ３２）を受信し、第２のＳＳ７回線カード４０の再起動を行う（ＳＤ３６）。
【０１６１】
第１のＳＳ７回線カード３８は再起動（ＳＤ３４）が正常に完了した場合に、起動結果通知（ＳＤ３８）として起動完了通知を障害管理機能部４２へ送信する。再起動が正常に終了しなかった場合は、起動結果通知（ＳＤ３８）として起動失敗通知を障害管理機能部４２へ送信する。
【０１６２】
また、第２のＳＳ７回線カード４０は再起動（ＳＤ３６）が正常に完了した場合に、起動結果通知（ＳＤ４０）として起動完了通知を障害管理機能部４２へ送信する。再起動が正常に終了しなかった場合は、起動結果通知（ＳＤ４０）として起動失敗通知を障害管理機能部４２へ送信する。
【０１６３】
障害管理機能部４２は第１のＳＳ７回線カード３８及び第２のＳＳ７回線カード４０から起動完了通知、もしくは起動失敗通知（ＳＤ３８／ＳＤ４０）を受信した場合、もしくは一定時間、通知を受信しなかった場合、ＳＳ７回線カード装置起動判定を行う（ＳＤ４２）。
【０１６４】
ＳＳ７回線カード装置起動判定（ＳＤ４２）で起動完了している場合、第１のＳＳ７回線カード３８の復旧が完了している（ＳＤ４４）。ＳＳ７回線カード装置起動判定（ＳＤ４２）で起動失敗している場合、障害管理機能部４２は、第１のＳＳ７回線カード３８の自動復旧が出来ない為、ブレードサーバ３２をハード障害状態へ遷移させる（ＳＤ４６）。
【０１６５】
以上説明したように、本発明においては、以下に記載するような効果を奏する。
【０１６６】
以上説明したように、本発明においては、前記の実施例の他に以下に記載するような効果を奏する。
【０１６７】
第１の効果は、障害の発生したＳＳ７回線カード装置の再起動を行っている間、正常なＳＳ７回線カード装置がサービスを継続できることである。
【０１６８】
第２の効果は、ブレードサーバの再起動を行う前に障害の発生していないＳＳ７回線カード装置と通信している対向装置との通信を停止することにより、ハード障害状態に遷移するまでの通信損失を軽減できることである。
【産業上の利用可能性】
【０１６９】
本発明は、ＳＳ７回線を擁するネットワークにおいて、ＳＳ７回線を終端する装置に適用可能である。
【０１７０】
具体的には、ＳＳ７とＩＰの変換処理を行うＳＧ（Ｓｉｇｎａｌｌｉｎｇ  Ｇａｔｅｗａｙ）、ＳＳ７ネットワーク内のＳＴＰ（Ｓｉｇｎａｌ  Ｔｒａｎｓｆｅｒ  Ｐｏｉｎｔ）、ＳＥＰ（Ｓｉｇｎａｌ  Ｅｎｄ  Ｐｏｉｎｔ）などに適用可能である。
【図面の簡単な説明】
【０１７１】
【図１】本発明の第１の実施例を説明するための通信制御システムのブロック図である。
【図２】本発明の第１の実施例を説明するための通信制御方法に従った通信制御プログラムのフローチャートである。
【図３】本発明の第１の実施例を説明するための通信制御方法に従った通信制御プログラムのフローチャートである。
【図４】本発明の第２の実施例を説明するための通信制御システムのブロック図である。
【図５】本発明の第２の実施例を説明するための通信制御方法に従った通信制御プログラムのフローチャートである。
【図６】本発明の第２の実施例を説明するための通信制御方法に従った通信制御プログラムのフローチャートである。
【図７】本発明の第２の実施例を説明するための通信制御方法に従った通信制御プログラムのフローチャートである。
【図８】本発明の第３の実施例を説明するための通信制御システムのブロック図である。
【図９】本発明の第３の実施例を説明するための通信制御方法に従った通信制御プログラムのフローチャートである。
【図１０】本発明の第３の実施例を説明するための通信制御方法に従った通信制御プログラムのフローチャートである。
【図１１】本発明の第３の実施例を説明するための通信制御方法に従った通信制御プログラムのフローチャートである。
【図１２】本発明の第４の実施例を説明するための通信制御システムのブロック図である。
【図１３】本発明の第４の実施例を説明するための通信制御方法に従った通信制御プログラムのフローチャートである。
【図１４】本発明の第４の実施例を説明するための通信制御方法に従った通信制御プログラムのフローチャートである。
【符号の説明】
【０１７２】
２  ブレードサーバ
４  対向装置
６  ＳＳ７回線カード
８  障害管理機能部
１０  ブレードサーバ
１２  対向装置
１４  ＳＳ７回線カード
１６  障害管理機能部
１８  内部ブロック
２２  ブレードサーバ
２４  対向装置
２６  ＳＳ７回線カード
２８  障害管理機能部
３０  管理プロセス
３２  ブレードサーバ
３４  第１の対向装置
３６  第２の対向装置
３８  第１のＳＳ７回線カード
４０  第２のＳＳ７回線カード
４２  障害管理機能部
【図１】
2008206109.tif 000003
【図２】
2008206109.tif 000004
【図３】
2008206109.tif 000005
【図４】
2008206109.tif 000006
【図５】
2008206109.tif 000007
【図６】
2008206109.tif 000008
【図７】
2008206109.tif 000009
【図８】
2008206109.tif 000010
【図９】
2008206109.tif 000011
【図１０】
2008206109.tif 000012
【図１１】
2008206109.tif 000013
【図１２】
2008206109.tif 000014
【図１３】
2008206109.tif 000015
【図１４】
2008206109.tif 000016